(57)【要約】【課題】  火災が発生したときでもシャッター本体の脱落を防止できる開口部建材の提供。【解決手段】  竪枠３と、竪枠補強材２５と、シャッター本体６とを備え、竪枠補強材２５は、竪枠３の内周側に設けてあり、躯体１１に固定される躯体固定部２７と、シャッター本体固定部３０とを有し、シャッター本体６を竪枠補強材２５のシャッター本体固定部３０に固定してある。【選択図】      図１
2015098777.tif 000002
【特許請求の範囲】
【請求項１】
竪枠と、竪枠補強材と、シャッター本体とを備え、竪枠補強材は、竪枠の内周側に設けてあり、躯体に固定される躯体固定部と、シャッター本体固定部とを有し、シャッター本体を竪枠補強材のシャッター本体固定部に固定してあることを特徴とする開口部建材。
【発明の詳細な説明】
【技術分野】
【０００１】
本発明は、建物の開口部に設置される単体のシャッター、シャッターとサッシが一体となったシャッター付きサッシ等の開口部建材に関する。
【背景技術】
【０００２】
窓の屋外側に防犯等のためにシャッターを設置することがあるが、従来のシャッター本体の取付け方は、特許文献１に記載されているように、シャッター本体の左右側面の上部と下部に突設した取付片５ａを竪枠の室外側面に当接し、室外側からのネジで取付片を竪枠にネジ止めして取付けている。なお特許文献１記載のものは、シャッター本体の取付け作業を容易化するために、竪枠の内周側面に載置部３２を、竪枠の室外側面にフック２ａをそれぞれネジで固定して設け、シャッター本体を載置部３２とフック２ａとにより竪枠間の上部に仮置きできるようにしている。
シャッター本体はかなり重いものであり、上述のように取付片を竪枠にネジ止めしただけでは、火災が発生して竪枠が溶融・軟化すると、シャッター本体が屋外側に傾いたり脱落したりするおそれがあった。
【先行技術文献】
【特許文献】
【０００３】
【特許文献１】特開２０００−１３００５５号公報
【発明の概要】
【発明が解決しようとする課題】
【０００４】
本発明は以上に述べた実情に鑑み、火災が発生したときでもシャッター本体の脱落を防止できる開口部建材の提供を目的とする。
【課題を解決するための手段】
【０００５】
上記の課題を達成するために請求項１記載の発明による開口部建材は、竪枠と、竪枠補強材と、シャッター本体とを備え、竪枠補強材は、竪枠の内周側に設けてあり、躯体に固定される躯体固定部と、シャッター本体固定部とを有し、シャッター本体を竪枠補強材のシャッター本体固定部に固定してあることを特徴とする。
【発明の効果】
【０００６】
請求項１記載の発明による開口部建材は、竪枠の内周側に竪枠補強材を設け、竪枠補強材の躯体固定部を躯体に固定し、シャッター本体を竪枠補強材のシャッター本体固定部に固定したことで、シャッター本体が竪枠補強材により躯体に連結・支持されることから、火災が発生して竪枠が溶融・軟化したとしても、シャッター本体の脱落を防止できる。
【図面の簡単な説明】
【０００７】
【図１】シャッター本体の枠への取付部分を拡大して示す縦断面図である。
【図２】シャッター本体の枠への取付部分を拡大して示す室外側正面図である。
【図３】シャッター本体の枠への取付部分を拡大して示す平面図である。
【図４】枠のシャッター本体が取付く部分の分解斜視図である。
【図５】シャッター本体の枠への取付け方を示す斜視図である。
【図６】シャッター本体の分解斜視図である。
【図７】下枠部を拡大して示す縦断面図である。
【図８】火災時の下枠部の状態を示す縦断面図である。
【図９】本発明の開口部建材の一実施形態を示す縦断面図である。
【図１０】同開口部建材の室外側正面図である。
【発明を実施するための形態】
【０００８】
以下、本発明の実施の形態を図面に基づいて説明する。図９，１０は、本発明の開口部建材の一実施形態であって、住宅の窓の屋外側にサッシ６０を囲むように設置した単体シャッターを示している。本シャッターは、上枠１と下枠２と左右の竪枠３，３とを枠組みし、竪枠３，３間の上部にまぐさ４を架設して枠５が構成され、まぐさ４の上方の竪枠３，３間にシャッター本体６を取付けてある。シャッター本体６の下方の竪枠３，３の室外側には、シャッターのスラット７を案内するガイドレール８が取付けてある。
枠５は、アルミニウム合金の押出形材より成り、図９に示すように、屋内側端部に形成した躯体取付片９を外壁１０に当接し、躯体１１にネジ１２を打ち込んで固定してある。
【０００９】
シャッター本体６は、図６に示すように、屋外側が開放した鉄製のボックス１３の左右側板１４，１４間に巻き上げ軸１５を架設し、巻き上げ軸１５に鉄製のスラット７，７，…を連結して成る扉体１６を取付け、扉体１６の下端部に座板１７を取付けて構成してある。ボックス１３は、左右の側板１４の上部と下部とに取付片１８ａ，１８ｂが側方に突出して形成されており、シャッター本体６は図１〜３に示すように、これらの取付片１８ａ，１８ｂを竪枠３の屋外側面に当接し、竪枠３にネジ１９を打ち込んで固定することで、竪枠３に取付けてある。取付片１８ａ，１８ｂには、ネジ１９の挿通孔２０が上下方向の長孔状に形成されており（図２参照）、シャッター本体６の取付位置を上下方向に微調整できるようになっている。
竪枠３の屋外側面には、ボックス１３の上側の取付片１８ａを引っ掛けることのできるフック２１が取付けてあり、竪枠３の内周側面にはボックス１３の下部を受ける受け金具２２が取付けてある。ボックス１３の下部には、下方に突出した突片２３を有し、受け金具２２にはこの突片２３と嵌合する嵌合部２４が設けてある。
【００１０】
竪枠３の上部の内周側には、竪枠補強材２５が設けてある。竪枠補強材２５は、図３，４に示すように、鉄板を曲げて形成したものであって、屋内側端部に設けられ躯体１１にネジ２６で固定される躯体固定部２７と、竪枠３の内周側面に沿って配置される縦壁２８と、縦壁２８の上縁より外周側に突出する横壁２９と、横壁２９の屋外側縁より下方に垂下するシャッター本体固定部３０とを有している。シャッター本体固定部３０には、フック２１取付用のネジ３１と、ボックス１３の取付片１８ａを固定するためのネジ１９とが螺入する雌ネジ孔３２ａ，３２ｂが設けてあり、シャッター本体固定部３０は竪枠３の小口より竪枠３の中空部３３内に挿入され、竪枠３の屋外側壁３４の内面に当接するように配置されている。縦壁２８は、ネジ３５により竪枠３の内周側壁３６に固定されている。
【００１１】
次に、シャッター本体６を取付ける際の手順を説明する。シャッター本体６は、図５に示すように、ボックス１３の左右の側板１４，１４を左右の竪枠補強材２５，２５の縦壁２８，２８の間に差し入れ、ボックス１３下部の突片２３を受け金具２２に載せつつ屋内側に向かってまっすぐ押し込む。シャッター本体６が所定の位置まで押し込まれると、シャッター本体６はボックス１３下部の突片２３が受け金具２２の嵌合部２４に落ち込んで少し下に下がり、ボックス１３下部が受け金具２２により位置決めして支持され、且つボックス１３上部の取付片１８ａがフック２１に係止し、シャッター本体６が竪枠３，３間の上部に仮置きされる。その後、４箇所の取付片１８ａ，１８ｂのネジ挿通孔２０に挿通したネジ１９を竪枠３に捩じ込んでシャッター本体６を固定する。上側の２箇所の取付片１８ａに挿通したネジ１９は、竪枠補強材２５のシャッター本体固定部３０の雌ネジ孔３２ａに螺入される。
【００１２】
このようにシャッター本体６は、躯体１１に固定した鉄製の竪枠補強材２５のシャッター本体固定部３０に取付片１８ａがネジ１９で固定されており、これによりシャッター本体６が竪枠補強材２５を介して躯体１１に連結・支持されることから、火災が発生して竪枠３が溶融・軟化したとしても、シャッター本体６が室外側に倒れたり脱落したりするのを防止できる。シャッター本体６を竪枠３に取付けるためのネジ１９でシャッター本体６を竪枠補強材２５のシャッター本体固定部３０に固定したので、シャッター本体６を竪枠３にネジ止めする際に、竪枠補強材２５のシャッター本体固定部３０とも連結されるため、施工性が良い。さらに、竪枠３の屋外側面にフック２１が竪枠補強材２５のシャッター本体固定部３０にネジ３１で固定して取付けてあり、シャッター本体６が脱落しようとしたときには、このフック２１に取付片１８ａが係止するため、シャッター本体６の倒れや脱落をより確実に防止できる。竪枠補強材２５は、躯体固定部２７とシャッター本体固定部３０とを繋いでいる縦壁２８と横壁２９とが、それぞれ竪枠３の内周側面と竪枠３の上端に沿って配置されているため、シャッター本体６を竪枠３，３間に取付ける際に邪魔にならず、且つ縦壁２８，２８によりシャッター本体６を左右方向に位置決めできる。
【００１３】
シャッター本体６の屋外側には、図１に示すように、鉄製の正面カバー３７が設けてあり、正面カバー３７によりボックス１３の屋外側を覆っている。正面カバー３７は、上縁部を上枠１の屋外側端部に設けた係止部３８に係止し、下部をボックス１３の屋外側の下端部に設けたネジ止め部３９にネジ４０で固定してあり、さらにボックス１３の側板１４にアングル状の固定金具４１を設け、上下方向中間部を固定金具４１にネジ４２で固定してある。このように正面カバー３７は、下部だけでなく上下方向中間部もボックス１３に取付けた固定金具４１にネジ止めしてあることで、火災時に上枠１が溶融・軟化して上縁部の係止が外れたとしても、脱落することがない。
【００１４】
座板１７は、アルミニウム合金の押出形材より成り、図７に示すように、下端部にタイト材ホルダー４３を設けてタイト材４４が取付けてあり、タイト材４４が下枠２の屋外側端部上面に当接している。このタイト材４４は、焼結クロロプレンゴムで形成されており、火災時にも燃えないものとなっている。タイト材ホルダー４３から上方に離間した位置には、手掛け部４５が屋内側に突出して形成されており、手掛け部４５の下面には長手方向の全長に亘って、熱に反応して発泡・膨張する耐火材４６ａが設けてある。かかる熱発泡性の耐火材は、市販品の中から適宜選択して用いることができ、例えば積水化学工業株式会社製の商品名「フィブロック」を用いることができる。これは、プラスチック技術を活用した有機系耐火材であり、通常の状態では薄いシート状で、２００℃以上に加熱されると厚さ方向に５〜４０倍に膨張し、断熱層を形成する。火災時に消失することがなく、有害ガスが発生することもない。またフィブロックは、片面に剥離紙付きの接着層を有しているので、剥離紙を剥がして簡便に接着取付けできる。
【００１５】
下枠２は、屋外側にガイドレール８の下端部が挿入される溝部４７を有し、溝部４７内の屋内側寄りの位置にステンレス板で形成した下枠補強材４８が長手方向に沿って設けてある。下枠補強材４８は、座板１７のタイト材４４の屋内側に位置する屋外側縦壁４９と、座板１７の手掛け部４５と対向する横壁５０と、溝部４７の屋内側の壁に当接する屋内側縦壁５１と、溝部４７の底面にネジ５２で固定される固定部５３を有している。下枠補強材４８の屋外側縦壁４９の屋外側面にも、熱に反応して発泡・膨張する耐火材４６ｂが長手方向の全長に亘って設けてある。
【００１６】
火災時には、下枠２が火災の熱で溶融・軟化し、屋外側が下に下がるように変形し、座板１７も下に下がろうとするが、本シャッターは図８に示すように、座板１７の手掛け部４５を下枠補強材４８の横壁５０で受けて座板１７の下がりが規制され、且つ座板１７の手掛け部４５の下面と下枠補強材４８の屋外側面に設けた耐火材４６ａ，４６ｂが火災の熱に反応して発泡し、座板１７の下部と下枠２上面間の隙間を塞ぐため、座板１７と下枠２の間から火炎や煙等が屋外から屋内に又は屋内から屋外に侵入するのを阻止し、延焼を防止することができる。下枠補強材４８を下枠２の屋外側の溝部４７内だけに設けたことで、下枠２上面を全面的に覆うように下枠補強材を設けた場合よりも火災時に下枠２が熱を帯びにくく、下枠２の変形を抑えることができる。
【００１７】
枠５の周囲には、図１，３，７に示すように、枠補助材５４が設けてある。枠補助材５４は、アルミニウム合金の押出形材で形成した長尺材であり、コ字型断面の溝部５５と、溝部５５の両側に張り出す見付壁５６ａ，５６ｂとを有し、枠５の躯体固定片９とこれを躯体１１に固定しているネジ１２の頭を屋外側から隠している。枠補助材５４は、溝部５５を躯体１１にネジ５７で固定して取付けられ、溝部５５に目板６１を嵌め込んでネジ５７を隠蔽している。
枠補助材５４の屋内側には、ステンレスの薄板を折り曲げて形成した耐火材取付部材５８が、枠補助材５４と共締めする形で設けてある。耐火材取付部材５８は、躯体固定片９を躯体１１に取付けているネジ１２の頭を屋外側から囲むＬ型のカバー部５９を有しており、カバー部５９の内側の見込方向の面と見付方向の面とに、熱に反応して発泡・膨張する耐火材４６ｃが長手方向の全長に亘って設けてある。
【００１８】
火災が発生すると、図８に示すように、耐火材取付部材５８に取付けた耐火材４６ｃが発泡して、躯体固定片９とネジ１２の頭をカバーする。これにより、躯体固定片９とネジ１２が火災の炎から保護されることから、枠５が外壁１０から離れるのを阻止でき、防火性能が向上する。ステンレス製の耐火材取付部材５８に耐火材４６ｃを設けたので、枠補助材５４が火災により消失したとしても、躯体固定片９とネジ１２を保護する効果を維持できる。
【００１９】
本発明は以上に述べた実施形態に限定されない。実施形態のものは、枠５がサッシ６０の枠６０ａと別体で構成された単体のシャッターであったが、シャッターの枠５とサッシ６０の枠６０ａとが一体で構成されたもの、シャッターの枠５とサッシ６０の枠６０ａとを連結したものであってもよい。竪枠補強材２５と下枠補強材４８は、アルミよりも熱に強い材質で、火災時に容易に溶融したり変形したりしない材質で形成されていればよく、その形状は適宜変更することができる。耐火材４６ａは、下枠補強材４８の横壁５０の上面や、下枠２の上面に設けることもできる。耐火材４６ｂは、座板１７の下端部の屋内側面に設けることもできる。
【符号の説明】
【００２０】
１  上枠
２  下枠
３  竪枠
５  枠
６  シャッター本体
１７  座板
１８ａ，１８ｂ  取付片
１９  ネジ
２５  竪枠補強材
２７  躯体固定部
２８  縦壁（繋ぎ部）
２９  横壁（繋ぎ部）
３０  シャッター本体固定部
４４  タイト材
４６ａ，４６ｂ，４６ｃ  熱発泡性耐火材
４８  下枠補強材
４９  屋外側縦壁（縦壁）
５０  横壁
【図１】
2015098777.tif 000003
【図２】
2015098777.tif 000004
【図３】
2015098777.tif 000005
【図４】
2015098777.tif 000006
【図５】
2015098777.tif 000007
【図６】
2015098777.tif 000008
【図７】
2015098777.tif 000009
【図８】
2015098777.tif 000010
【図９】
2015098777.tif 000011
【図１０】
2015098777.tif 000012